(57)【要約】【課題】傾斜地や凸凹の多い地面のほか、ぬかるみやすい地面でも安定した設置ができ、管枕の正確なレベル出しをできるようにする。【解決手段】地面上に設置され、その上に配管用の管枕１１を載置する管枕支承板１において、管枕１１を支持する天壁２の周囲に下方へ向けて外枠３を設け、下面開口型の中空構造とし、前記天壁２の裏面に、前記外枠３の下部へ向けてリブ４を設ける。また、前記天壁２に、その表面と裏面とに貫通する貫穴５を設ける。土や砂利が露出する地面上に設置したとき、リブ４が地面に食い込むので、傾斜地や凸凹の多い地面でも、滑りやぐらつきが防止される。また、貫穴５を介して、地面との間の水や空気を外部に抜くことができるため、ぬかるみ等で浮き上がりが生じることがなく、安定性が向上する。【選択図】図１
2013057382.tif 000002
【特許請求の範囲】
【請求項１】
地面上に設置され、その上に配管用の管枕(11)を載置する管枕支承板(1)において、管枕(11)を支持する天壁(2)の周囲に下方へ向けて外枠(3)を設け、下面開口型の中空構造とし、前記天壁(2)の裏面に、前記外枠(3)の下部へ向けてリブ(4)又は突起(9)を設けたことを特徴とする管枕支承板。
【請求項２】
請求項１に記載の管枕支承板(1)において、前記天壁(2)に、その表面と裏面とに貫通する貫穴(5)を設けたことを特徴とする管枕支承板。
【発明の詳細な説明】
【技術分野】
【０００１】
この発明は、ケーブル保護管等の配管に際して、地面上に設置し、その上に管枕を載せて支持する管枕支承板に関するものである。
【背景技術】
【０００２】
例えば、ケーブル保護管等の管を受架する管枕として、下記特許文献１に記載されたようなものが知られている。この管枕は、管の外周に沿う円弧部を有するブロック状のものであり、複数本並列に配設される管の位置関係を規制する。
【０００３】
このような管枕を、配管予定経路に沿って掘削した溝内で、その底部に敷いた砂の地面上に、管の長さ方向に間隔をおいて支持し、管の荷重による砂へのめり込みを防いで高さ方向のレベルを正確に設定をするため、管枕支承板が使用されることがある。このような管枕支承板には、通常、平板状のコンクリート板又は木板が使用される。
【０００４】
また、ポリエチレン等の樹脂製の管枕支承板として、下記特許文献２に記載されたようなものが知られている。この管枕支承板は、平板の上面及び下面に、積重ね状態でのずれを防止する突条又は凹溝を設けたものとされている。
【先行技術文献】
【特許文献】
【０００５】
【特許文献１】特開平１０−２２０６４８号公報
【特許文献２】特開２００１−２８０５４５号公報
【発明の概要】
【発明が解決しようとする課題】
【０００６】
しかしながら、コンクリート製の管枕支承板は、重いため施工性が悪く、また、傾斜地で使用すると滑りが生じるおそれがあり、木製の管枕支承板は、強度が一定しないという問題がある。
【０００７】
また、上記特許文献２に記載の管枕支承板もまた、地面に接する面の大部分が平坦であることから、傾斜地では滑りやすく、凸凹の多い地面やぬかるみになりやすい地面には設置しにくいという問題がある。
【０００８】
そこで、この発明は、傾斜地や凸凹の多い地面のほか、ぬかるみやすい地面でも安定した設置ができ、管枕の正確なレベル設定をできるようにすることを課題とする。
【課題を解決するための手段】
【０００９】
上記課題を解決するため、この発明は、地面上に設置され、その上に配管用の管枕を載置する管枕支承板において、管枕を支持する天壁の周囲に下方へ向けて外枠を設け、下面開口型の中空構造とし、前記天壁の裏面に、前記外枠の下部へ向けてリブ又は突起を設けたのである。
【００１０】
また、この管枕支承板において、前記天壁に、その表面と裏面とに貫通する貫穴を設けたのである。
【発明の効果】
【００１１】
この発明に係る管枕支承板では、土や砂から成る地面上に設置したとき、リブ又は突起が地面に食い込むので、傾斜地や凸凹の多い地面でも、滑りやぐらつきが防止され、安定した設置が可能となり、管枕の正確なレベル設定ができる。
【００１２】
また、天壁に設けた貫穴を介して、地面との間の水や空気を外部に抜くことができるため、ぬかるみ等で浮き上がりが生じることがなく、安定性が向上する。
【図面の簡単な説明】
【００１３】
【図１】この発明の実施形態に係る長尺型の管枕支承板の使用状態を示す斜視図
【図２】同上の長尺型の管枕支承板と管枕を示す表面側からの斜視図
【図３】同上の裏面側からの斜視図
【図４】同上の長尺型と短尺型の管枕支承板を連結した使用状態を示す斜視図
【図５】同上の短尺型の管枕支承板を示す表面側からの斜視図
【図６】同上の裏面側からの斜視図
【図７】同上の管枕支承板の連結部を示す表面側からの斜視図
【図８】同上の突起を有する管枕支承板を示す裏面側からの斜視図
【図９】同上の凹溝を有する管枕支承板を示す表面側からの部分斜視図
【発明を実施するための形態】
【００１４】
以下、この発明の実施形態を添付図面に基づいて説明する。
【００１５】
図１に示すように、この管枕支承板１は、ケーブル保護管等の管１０を複数本並列に配管する際、配管予定経路に沿って掘削した溝内で、その底部に敷いた砂の地面上に、管の長さ方向に間隔をおいて設置し、その上に３本の管１０を受架する弧状部１２を備えた管枕１１を載せて支持する長方形状のものであり、管１０の並列方向に長手方向が向けられる。この配管状態では、並列する管１０の位置関係が規制される。
【００１６】
管枕支承板１の材料には、ポリエチレン等の樹脂が使用され、図２及び図３に示すように、その構造は、管枕１１を支持する天壁２の周囲に下方へ向けて外枠３を設けた下面開口型の中空構造となっている。そして、天壁２の裏面には、外枠３の下部へ向けてリブ４が設けられている。
【００１７】
リブ４は、外枠３の対向する長辺及び短辺間に亘って格子状に配置され、樹脂を内部全体に充填することなく、空洞部分を設ける肉抜きをして軽量化された管枕支承板１は、リブ４により補強されている。
【００１８】
また、天壁２には、その表面と裏面とに貫通する円形の貫穴５がリブ４の位置を避けるように複数個配置されている。
【００１９】
そのほか、天壁２の表面には、長手方向に延びる２本の突条６が設けられ、この突条６が天壁２の表面上での管枕１１のある程度の自由な動きを許容しつつ、管１０の長さ方向への管枕１１の一定以上のずれを防止するストッパとなっている。外枠３の両方の短辺部分には、連結用の３個の凹部７が設けられている。
【００２０】
上記のような管枕支承板１では、土や砂から成る地面上に設置したとき、リブ４が地面に食い込むので、傾斜地や凸凹の多い地面でも、滑りやぐらつきが防止され、管１０を受架する管枕１１を安定した状態で支持することが可能となり、管枕１１の正確なレベル設定をすることができる。
【００２１】
また、天壁２に設けた貫穴５を介して、地面との間の水や空気を外部に抜くことができるため、ぬかるみ等で浮き上がりが生じることがなく、安定性が向上する。
【００２２】
また、肉抜きをして、リブ４により補強していることから、強度を損なうことなく軽量化することができ、材料を有効利用して、コストダウンを図ることができる。
【００２３】
なお、上記実施形態では、３本の管１０を並列に配設する場合を例示したが、例えば、４本以上の管１０を並列に配設する場合には、図４に示すように、上記のような長尺型の管枕支承板１に加えて、短尺型の管枕支承板１を使用すればよい。
【００２４】
この短尺型の管枕支承板１は、管１０を１本のみ受架する管枕１１に対応するため、管１０の並列方向の寸法が短くなっており、図５及び図６に示すように、突条６に直交する外枠３の一辺には、長尺型の管枕支承板１の凹部７に嵌め込まれる３個の凸部８が設けられ、他辺には、短尺型の管枕支承板１を連結するための凹部７が設けられている。
【００２５】
管枕支承板１同士の連結に際しては、図７に示すように、凸部８の両側方へ張り出した頭部を、凹部７の溝状部分に差し込むようにして、凹部７から凸部８を抜け止めする。
【００２６】
ところで、上記実施形態では、天壁２の裏面にリブ４を設けたものを例示したが、リブ４に代えて、図８に示すように、複数の柱状の突起９を設け、その高さ寸法が外枠３の縁部と同等となるようにしてもよい。
【００２７】
また、天壁２の表面の突条６により管枕１１のずれを防止するものを例示したが、突条６に代えて、図９に示すように、天壁２の表面に凹溝１３を設け、その内側に管枕１１を嵌め込んで、管枕１１のずれを防止するようにしてもよい。
【符号の説明】
【００２８】
１  管枕支承板
２  天壁
３  外枠
４  リブ
５  貫穴
６  突条
７  凹部
８  凸部
９  突起
１０  管
１１  管枕
１２  弧状部
１３  凹溝
【図１】
2013057382.tif 000003
【図２】
2013057382.tif 000004
【図３】
2013057382.tif 000005
【図４】
2013057382.tif 000006
【図５】
2013057382.tif 000007
【図６】
2013057382.tif 000008
【図７】
2013057382.tif 000009
【図８】
2013057382.tif 000010
【図９】
2013057382.tif 000011